(57)【要約】【課題】多様性がある保管を行なうための保管具を提供する。【解決手段】保管具１０は、下面１１ａが球体の一部を取り出した皿形状の台座部１１と、台座部１１の中央で上方に延びる支柱１２と、支柱１２に嵌合された載置部材１３とから構成されている。載置部材１３は、径外方向に延びる枝部１５，１６を備えている。枝部１５，１６を、Ｕ字形状で構成することにより、枝部１５，１６には、上方が開口した溝部が形成される。保管具１０の枝部１５にフィギュア５０の突起部５１を嵌合させて、フィギュア５０を保管具１０に固定する。保管具１０にフィギュア５０を固定した場合、フィギュア５０の形状や配置によって、保管具１０の重心位置が移動して揺動する。【選択図】図１
0003185529.tif 000002
【実用新案登録請求の範囲】
【請求項１】
揺動可能な下面形状をした台座部と、
台座部の上方に設けた支柱と、
支柱から外方向に延びる枝部とを備え、
前記枝部に、物品を係止する溝部を設けたことを特徴とする保管具。
【請求項２】
前記溝部は、前記物品において、溝部に係止する突起部の大きさに対応した幅に形成されていることを特徴とする請求項１に記載の保管具。
【請求項３】
前記枝部の先端部は、開放した形状をしていることを特徴とする請求項１又は２に記載の保管具。
【請求項４】
前記枝部の先端部は、閉鎖した形状をしていることを特徴とする請求項１又は２に記載の保管具。
【請求項５】
前記枝部を、上方が開放した断面形状の部材で構成することを特徴とする請求項１〜４のいずれか１項に記載の保管具。
【請求項６】
前記溝部の開放側の幅を、前記溝部の底部側の幅よりも狭くしたことを特徴とする請求項５に記載の保管具。
【請求項７】
前記溝部の側壁部を可撓性材料で構成したことを特徴とする請求項１〜６のいずれか１項に記載の保管具。
【考案の詳細な説明】
【技術分野】
【０００１】
本考案は、フィギュア等の物品を保管するための保管具に関するものである。
【背景技術】
【０００２】
アクセサリーを保管する場合、ジュエリーボックス等を利用している。このジュエリーボックスでは、外側から中のアクセサリーが見にくい構成となっている。更に、アクセサリーを飾った状態で保管するとともに、取り出しも容易にした保管具も検討されている（例えば、特許文献１参照）。この特許文献のアクセサリーケースでは、回転可能とした台座に、突起を設けた枝状のネックレス掛けを設け、ネックレス掛けの回りに指輪立てを配置し、枝の基端部の周囲に、指輪立て、イヤリング、ピアス掛けを設け、透明なドーム型の蓋を被せている。
【先行技術文献】
【特許文献】
【０００３】
【特許文献１】実用新案登録第３０９８８８４号
【考案の概要】
【考案が解決しようとする課題】
【０００４】
最近では、人形状のフィギュアを保管することもある。このようなフィギュアの保管者においても、フィギュアの配置等を工夫しながら、面白みがあるユニークな形態で展示・保管することが多い。しかしながら、上述のアクセサリーケースにおいては、アクセサリーを枝に掛ける構成になっており、フィギュアの手足の形態や姿勢に応じて、多様な形態での保管が困難であった。
【０００５】
本考案は、上記問題点を解決するためになされたものであり、その目的は、多様性がある保管を行なうための保管具を提供することにある。
【課題を解決するための手段】
【０００６】
上記課題を解決する保管具は、揺動可能な下面形状をした台座部と、台座部の上方に設けた支柱と、支柱から外方向に延びる枝部とを備え、前記枝部に、物品を係止する溝部を設けたことを特徴とする。この構成によれば、枝部の溝部に物品を係止させた状態に応じて保管具の重心位置が変化し、この重心に応じて保管具が傾斜する。従って、物品の配置や載置する形に応じて保管具の姿勢が変更されるので、面白味がある状態で保管することができる。
【０００７】
上記保管具において、前記溝部は、前記物品において、溝部に係止する突起部の大きさに対応した幅に形成されていることが好ましい。この構成によれば、物品の突起部が枝部の溝部に嵌まることにより固定できるので、物品を保管具に簡単に取り付けられることができる。更に、この幅の溝部の長さが、この幅よりも長い場合には、溝部の延在方向に物品の突起部を挿入した後、この突起部の向きを変更させることにより、容易に物品を保管具に固定させることができる。
【０００８】
上記保管具において、前記枝部の先端部は、開放した形状をしていることが好ましい。この構成によれば、開放した先端部から、保管具の突起部を挿入することができ、多様な形態で、展示することができる。
【０００９】
上記保管具において、前記枝部の先端部は、閉鎖した形状をしていることが好ましい。この構成によれば、閉鎖した先端部から、保管具の突起部を引っ掛けることができ、多様な形態で、展示することができる。
【００１０】
上記保管具において、前記枝部を、上方が開放した断面形状の部材で構成することが好ましい。この構成によれば、物品を取り付けるための溝部を有した枝部を、簡単な構造で形成することができる。
【００１１】
上記保管具において、前記溝部の開放側の幅を、前記溝部の底部側の幅よりも狭くしたことが好ましい。この構成によれば、溝部の上部が狭くなっているため、物品の突起部が、溝部に引っ掛かり易くすることができる。更に、物品の様々な大きさの突起部が、この溝部に引っ掛かることができるので、保管具の重心位置が様々に変更されて、多様な形態で、展示することができる。
【００１２】
上記保管具において、前記溝部の側壁部を可撓性材料で構成したことが好ましい。この構成によれば、物品の突起部を溝部に嵌合させる際に、溝部の側面を撓ませて嵌めることができるので、保管具に物品を、より強固に固定することができる。
【考案の効果】
【００１３】
本考案によれば、多様性がある保管を行なうための保管具を提供することができる。
【図面の簡単な説明】
【００１４】
【図１】本実施形態の保管具及び物品の説明図であり、（ａ）は物品を載置した保管具の正面図、（ｂ）は物品の正面図、（ｃ）は保管具の斜視図。
【図２】変更例における説明図であって、（ａ），（ｂ）は物品の一部を挿入した状態を示す溝部の断面図、（ｃ），（ｄ）は物品を載置する保管具の溝部の断面図。
【考案を実施するための形態】
【００１５】
以下、図１、図２に従って、本考案を具体化した保管具の一実施形態を説明する。
本実施形態では、図１（ａ）に示すように、突起部が形成された物品として、人の形を模したフィギュア５０を保管具１０に配置して、保管する場合を想定する。
図１（ｂ）に示すように、このフィギュア５０には、突起部５１として人形の頭、手、足が形成されている。
【００１６】
次に、図１（ｃ）を用いて、フィギュア５０を保管する保管具１０の構成を説明する。本実施形態における保管具１０は、例えば、プラスチック等の樹脂材料で形成されている。この保管具１０は、台座部１１、支柱１２及び載置部材１３から構成されている。
【００１７】
台座部１１は、下面１１ａが球冠形状（球面の一部を切り出した形状）であり、揺動可能に構成されている。この台座部１１の中央には、上方に延びる支柱１２が一体形成されている。この支柱１２は、円錐台形状をしており、上方の径が細くなっている。
【００１８】
本実施形態では、支柱１２の外周には、載置部材１３が嵌合されている。この載置部材１３は、嵌合部１４と、枝部１５，１６とから構成されている。
載置部材１３の嵌合部１４は、円筒形状をしている。この嵌合部１４の内径は、嵌合部１４を支柱１２に嵌めたときに、支柱１２の先端部と基端部との間となる高さに載置部材１３が配置されるような大きさで構成されている。
【００１９】
この嵌合部１４の外周には、嵌合部１４（支柱１２）から径外方向に向かって延びるように、枝部１５，１６が一体形成されている。これら枝部１５，１６は、本実施形態では、所定の角度（例えば、９０度）で交差する方向に配置されている。各枝部１５，１６は、上方が開口した断面がＵ字形状をしている。このようにＵ字形状で構成することにより、枝部１５，１６には、側壁の上方が開口した溝部が、延在方向の全長にわたって形成される。更に、本実施形態では、各枝部１５，１６の溝部の内側の幅（溝を構成する側壁間の距離）は、フィギュア５０の突起部５１に対応してほぼ同じ大きさで形成されている。これにより、溝は、突起部５１と嵌合可能な大きさとなっている。枝部１５は、その先端は開放されており、枝部１６は、その先端部１６ａが閉鎖されている。
【００２０】
次に、上述した保管具１０の作用について説明する。
図１（ｃ）に示すように、フィギュア５０を配置していない保管具１０の重心は、台座部１１の中央にある。このため、保管具１０は傾斜せず、支柱１２は直立した状態になる。
【００２１】
そして、図１（ａ）に示すように、載置部材１３の枝部１５の溝部に、フィギュア５０の突起部５１を嵌め込む。また、突起部５１を、溝部に引っ掛けることも可能である。これにより、フィギュア５０は、保管具１０に係止される。フィギュア５０の配置位置によっては、保管具１０の重心が移動し、支柱１２が傾斜した形状になる。
【００２２】
本実施形態の保管具１０によれば、以下のような効果を得ることができる。
（１）本実施形態の保管具１０は、揺動可能な台座部１１と、支柱１２と、枝部１５，１６を備えた載置部材１３とから構成されている。枝部１５，１６には、Ｕ字形状の溝部を形成する。この溝部にフィギュア５０の突起部５１を嵌合させて、多様な姿勢でフィギュア５０を保管具１０に固定して保存することができる。更に、フィギュア５０の配置場所や配置方法に応じて、保管具１０の重心位置が移動し、支柱１２が傾斜するので、バランスゲーム的な要素がある多様な形態で、面白味がある状態で保管することができる。
【００２３】
（２）本実施形態では、保管具１０の枝部１５，１６の溝部の側壁部の幅は、フィギュア５０の突起部５１が嵌合する大きさで形成されている。これにより、フィギュア５０の突起部５１の溝部への嵌め方により、フィギュア５０を多様な姿勢で固定することができる。
【００２４】
（３）本実施形態では、保管具１０の枝部１５は、その先端は開放された形状をしている。これにより、開放した先端部において、フィギュア５０の突起部を固定することができる。また、保管具１０の枝部１６は、その先端部１６ａが閉鎖された形状をしている。これにより、閉鎖した先端部の側壁部において、フィギュア５０の突起部を引っ掛けることができる。従って、多様な形態で、展示することができる。
【００２５】
なお、上記実施形態は以下のように変更してもよい。
・  上記実施形態では、保管具１０の枝部１５，１６は、支柱１２から径外方向に向かって延びるように形成されている。枝部１５，１６の形態はこれに限定されるものではない。枝部１５，１６の数を増やしてもよいし、枝部１５，１６同士を連結する枝部や枝部１５，１６の一部から上方や斜めに延びる枝部を更に設けてもよい。また、枝部１５，１６は、径外方向に直線状に延びる形状でなくてもよく、ジグザグに折れ曲がった形状や曲線形状であっても全体として支柱１２から外方向に延びる形状であればよい。更に、枝部に形成される溝部は、上方に開口する場合に限られず、水平方向や斜め方向に開口していてもよい。
【００２６】
・  上記実施形態では、保管具１０の枝部１５，１６には、断面がＵ字形状の溝を設けた。溝形状は、Ｕ字形状に限定されるものではない。例えば、図２（ａ）に示すように、断面が円弧の形状の枝部２５を用いることができる。小さいフィギュア５０の突起部５１（例えば足）の場合には、溝部の上方においてフィギュア５０の足の爪先を係止する。
【００２７】
一方、図２（ｂ）に示すように、大きいフィギュア５０の突起部５１の場合には、同じ枝部２５に、フィギュア５０の足首を係止する。従って、突起部５１の大きさが異なる場合にも、フィギュア５０を容易に取り付けることができる。
【００２８】
また、図２（ｃ）に示すように、Ｕ字形状の開口部側の内側に突起部を設けた断面の枝部３５としてもよい。
更に、図２（ｄ）に示すように、枝部の溝部の開放側の幅を溝部の底部側の幅よりも狭くした台形状の断面の枝部４５としてもよい。
【００２９】
・  上記実施形態では、保管具１０の枝部１５，１６を、断面がＵ字形状で構成することにより、枝部１５，１６には、溝部が全長にわたって形成される。溝部の形成領域は全長に限定されるものではなく、枝部１５，１６の一部に形成してもよい。例えば、複数の溝部を長手方向に、区切壁や梁を介して一列に整列配置させてもよい。これら区切壁や梁により、枝部１５，１６の撓みを抑制して、枝部１５，１６を強固にすることができる。
【００３０】
・  上記実施形態では、保管具１０の枝部１５，１６を、プラスチック等の樹脂材料で形成する。この場合、枝部１５，１６に形成した溝部の側壁面を、粘度部材やゴム等の可撓性材料で構成してもよい。これにより、フィギュア５０の突起部５１を、保管具１０の溝部に嵌めたときに可撓性材料の側面が撓むので、突起部５１を、より強固に保持することができる。また、突起部５１が溝幅より大きい場合であっても、側壁面が撓むことにより、大きさの違いを吸収することができる。
【００３１】
・  上記実施形態の保管具１０の台座部１１は、下面１１ａが球冠形状をしており、揺動可能に構成されている。台座部１１は、揺動可能な形状であれば、これに限定されない。例えば、円筒の曲面の一部を切り出した形状であってもよい。
【００３２】
・  上記実施形態の保管具１０は、人の形を模したフィギュア５０を保管した。保管具１０に保管する物品は、突起部５１を有する物品あれば、人の形を模したフィギュア５０に限定されない。例えば、動物や植物、乗り物等の形態を模した物品を用いることができる。
【符号の説明】
【００３３】
１０…保管具、１１…台座部、１１ａ…下面、１２…支柱、１３…載置部材、１４…嵌合部、１５，１６，２５，３５，４５…枝部、１６ａ…先端部、５０…フィギュア、５１…突起部。
【図１】
0003185529.tif 000003
【図２】
0003185529.tif 000004